(57)【要約】  粒状の脱臭剤に対して紫外線を効率良く照射することのできる脱臭装置及び脱臭フィルタを提供する。脱臭装置は、脱臭フィルタ（３）と、紫外線光源（５）と、を備える。脱臭フィルタ（３）は、粒状の脱臭剤（６）と、脱臭剤（６）を収納する区画（７ａ）を形成する壁を有するケーシング（７）と、を備える。紫外線光源（５）は、脱臭フィルタ（３）へ紫外線を照射する。ケーシング（７）は、壁の少なくとも一部を構成し、紫外線を拡散透過させる拡散透過壁と、壁の少なくとも一部の表面に設けられた紫外線反射層（７ｇ，７ｈ）とのいずれか一方または両方を備える。
2018016115.tif 000002
【特許請求の範囲】
【請求項１】
脱臭フィルタと、
紫外線光源と、
を備え、
前記脱臭フィルタは、粒状の脱臭剤と、前記脱臭剤を収納する区画を形成する壁を有するケーシングと、を備え、
前記紫外線光源は、前記脱臭フィルタへ紫外線を照射し、
前記ケーシングは、前記壁の少なくとも一部を構成し、紫外線を拡散透過させる拡散透過壁と、前記壁の少なくとも一部の表面に設けられた紫外線反射層とのいずれか一方または両方を備える脱臭装置。
【請求項２】
前記壁は、環状の周壁部と、前記周壁部の内側の空間を仕切る隔壁部とを含み、
前記隔壁部の少なくとも一部は、前記拡散透過壁である請求項１に記載の脱臭装置。
【請求項３】
前記壁は、環状の周壁部と、前記周壁部の内側の空間を仕切る隔壁部とを含み、
前記周壁部の少なくとも一部の表面に前記紫外線反射層が設けられている請求項１または請求項２に記載の脱臭装置。
【請求項４】
前記ケーシングは、光拡散剤となる粒子が内部に分散している樹脂材料で構成された前記拡散透過壁を備える請求項１から請求項３のいずれか一項に記載の脱臭装置。
【請求項５】
前記紫外線光源は、前記脱臭フィルタを通過する気流の上流側から紫外線を照射する請求項１から請求項４のいずれか一項に記載の脱臭装置。
【請求項６】
前記ケーシングは、前記区画の内壁面に対して垂直な第一表面を有し、
前記第一表面の法線上に前記紫外線光源がある請求項５に記載の脱臭装置。
【請求項７】
前記ケーシングは、前記区画の内壁面に対して垂直な第一表面を有し、
前記第一表面の法線と重ならない位置に前記紫外線光源がある請求項５に記載の脱臭装置。
【請求項８】
前記壁は、環状の周壁部と、前記周壁部の内側の空間を仕切る隔壁部とを含み、
前記周壁部の少なくとも一部は、紫外線透過性を有し、
前記紫外線光源は、前記周壁部の外側から、紫外線透過性を有する部分の前記周壁部へ紫外線を照射する請求項１から請求項７のいずれか一項に記載の脱臭装置。
【請求項９】
前記壁は、環状の周壁部と、前記周壁部の内側の空間を仕切る隔壁部とを含み、
前記周壁部の少なくとも一部は、前記拡散透過壁であり、
前記ケーシングは、前記拡散透過壁である前記周壁部の外壁面に設けられた前記紫外線反射層を備える請求項１から請求項８のいずれか一項に記載の脱臭装置。
【請求項１０】
粒状の脱臭剤と、
前記脱臭剤を収納する区画を形成する壁を有するケーシングと、
を備え、
前記ケーシングは、前記壁の少なくとも一部を構成し、紫外線を拡散透過させる拡散透過壁と、前記壁の少なくとも一部の表面に設けられた紫外線反射層とのいずれか一方または両方を備える脱臭フィルタ。
【発明の詳細な説明】
【技術分野】
【０００１】
本発明は、脱臭装置及び脱臭フィルタに関する。
【背景技術】
【０００２】
下記特許文献１に開示された従来の脱臭装置は、以下の構成を有する。オゾンを発生させる紫外線ランプと、脱臭フィルタとを備える。脱臭フィルタは、金属触媒をゼオライトまたは活性炭等の吸着剤に担持させたものである。悪臭ガスが流れる方向に対して、紫外線ランプ、脱臭フィルタの順に配設している。
【先行技術文献】
【特許文献】
【０００３】
【特許文献１】日本特開２００２−２２４２０７号公報
【発明の概要】
【発明が解決しようとする課題】
【０００４】
特許文献１の脱臭装置は、オゾンを発生させるために紫外線ランプを用いている。特許文献１の脱臭装置は、紫外線を脱臭フィルタに照射するものではない。【０００５】
粒状の脱臭剤と、脱臭剤を収納するケーシングとを備える脱臭フィルタが知られている。そのような脱臭フィルタのケーシングは、脱臭剤を収納する複数の区画を有し、各区画に例えば数十個の脱臭剤が収納されている。脱臭剤が吸着できる臭い成分の量には限界がある。脱臭剤の臭い成分の吸着量が多くなると、脱臭フィルタの脱臭性能が低下する。脱臭フィルタに紫外線を照射することで、脱臭フィルタの脱臭性能を回復させることが考えられる。しかしながら、各区画に収納された多数の脱臭剤のうち、外側にある脱臭剤には紫外線を照射できるが、奥の方にある脱臭剤には紫外線が届かない。このため、脱臭フィルタに対して単に紫外線を照射しても、その脱臭性能を十分に回復させることはできない。【０００６】
本発明は、上述のような課題を解決するためになされたもので、粒状の脱臭剤に対して紫外線を効率良く照射することのできる脱臭装置及び脱臭フィルタを提供することを目的とする。
【課題を解決するための手段】
【０００７】
本発明に係る脱臭装置は、脱臭フィルタと、紫外線光源と、を備え、脱臭フィルタは、粒状の脱臭剤と、脱臭剤を収納する区画を形成する壁を有するケーシングと、を備え、紫外線光源は、脱臭フィルタへ紫外線を照射し、ケーシングは、壁の少なくとも一部を構成し、紫外線を拡散透過させる拡散透過壁と、壁の少なくとも一部の表面に設けられた紫外線反射層とのいずれか一方または両方を備えるものである。
また、本発明に係る脱臭フィルタは、粒状の脱臭剤と、脱臭剤を収納する区画を形成する壁を有するケーシングと、を備え、ケーシングは、壁の少なくとも一部を構成し、紫外線を拡散透過させる拡散透過壁と、壁の少なくとも一部の表面に設けられた紫外線反射層とのいずれか一方または両方を備えるものである。
【発明の効果】
【０００８】
本発明によれば、脱臭フィルタのケーシングが紫外線を拡散透過させる拡散透過壁と紫外線反射層とのいずれか一方または両方を備えることで、粒状の脱臭剤に対して紫外線を効率良く照射することが可能となる。
【図面の簡単な説明】
【０００９】
【図１】実施の形態１の脱臭装置の模式的な断面側面図である。
【図２】実施の形態１の脱臭装置が備える脱臭フィルタの部分的な斜視図である。
【図３】実施の形態１の脱臭装置が備える脱臭フィルタ及び紫外線光源の模式的な斜視図である。
【図４】実施の形態１の脱臭フィルタのケーシングが備える拡散透過壁の内部構造を示す模式的な断面図である。
【図５】実施の形態１の脱臭装置が備える脱臭フィルタ及び紫外線光源の模式的な断面図である。
【図６】実施の形態２における脱臭フィルタ及び紫外線光源の模式的な図である。
【図７】実施の形態３の脱臭装置の模式的な断面側面図である。
【図８】実施の形態３の脱臭装置の模式的な正面図である。
【発明を実施するための形態】
【００１０】
以下、図面を参照して実施の形態について説明する。各図において共通または対応する要素には、同一の符号を付して、重複する説明を簡略化または省略する。本開示は、以下の各実施の形態で説明する構成のうち、組合わせ可能な構成のあらゆる組合わせを含み得る。
【００１１】
実施の形態１．
図１は、実施の形態１の脱臭装置１の模式的な断面側面図である。本実施の形態１の脱臭装置１は、室内の空気を脱臭処理する。脱臭装置１は、例えば、室内の床に置いて使用される。理解を容易にするため、図１に示すようにＸ軸、Ｙ軸及びＺ軸を設定する。Ｘ軸、Ｙ軸及びＺ軸は互いに直交する。Ｘ軸及びＹ軸は、水平に延びる。Ｚ軸は、鉛直に延びる。図１中で、左側が脱臭装置１の前であり、右側が脱臭装置１の後ろである。
【００１２】
図１に示すように、脱臭装置１は、筐体２、脱臭フィルタ３、送風装置４、及び紫外線光源５を備える。筐体２の内部に、脱臭フィルタ３、送風装置４、及び紫外線光源５が収納されている。図１では、脱臭フィルタ３、送風装置４、及び紫外線光源５については断面にしていない状態を示す。
【００１３】
筐体２の前面部には、空気の吸込口２ａが設けられている。筐体２の上面部には、空気の吹出口２ｂが設けられている。送風装置４は、例えば、シロッコファンでもよい。筐体２の内部には、送風装置４の吸込口２ｃが形成されている。送風装置４が運転されると、以下のようになる。室内の空気が吸込口２ａから筐体２内に吸い込まれる。その空気は、Ｙ軸方向に流れて脱臭フィルタ３を通過する。脱臭フィルタ３を通過することで脱臭された空気は、Ｙ軸方向に流れて吸込口２ｃから送風装置４に流入する。脱臭された空気は、送風装置４から吹出口２ｂを通って筐体２の外部へ吹き出される。
【００１４】
本実施の形態では、脱臭フィルタ３は、水平面に対して垂直に配置されている。脱臭フィルタ３が配置される姿勢は、これに限定されない。例えば、脱臭フィルタ３が水平に配置されてもよい。
【００１５】
紫外線光源５は、点灯したときに脱臭フィルタ３へ紫外線を照射するような位置に配置されている。本実施の形態では、筐体２の前面の内壁に紫外線光源５が取り付けられている。つまり、紫外線光源５は、吸込口２ａから脱臭フィルタ３へと至る空気の流れの中に位置することとなる。
【００１６】
紫外線光源５は、発光ダイオードを用いたもの、すなわち紫外線ＬＥＤでもよい。紫外線光源５から発せられる紫外線の波長は、例えば、２００ｎｍから３００ｎｍの範囲にある波長を含んでもよい。紫外線光源５は、紫外線ＬＥＤ以外のものでもよい。例えば、紫外線光源５は、水銀ランプでもよい。
【００１７】
脱臭装置１は、空気中の塵埃を捕集する集塵フィルタ（図示省略）をさらに備えてもよい。すなわち、脱臭装置１は、空気清浄装置としての機能を兼ね備えるものでもよい。
【００１８】
図２は、実施の形態１の脱臭装置１が備える脱臭フィルタ３の部分的な斜視図である。図２に示すように、脱臭フィルタ３は、粒状の脱臭剤６と、脱臭剤を収納するケーシング７と、網８とを備える。脱臭剤６は、臭い成分を吸着する機能と、臭い成分を分解する機能との一方または両方を備える。脱臭剤６は、例えば、粒状活性炭でもよい。脱臭剤６は、例えば、臭い成分を分解する触媒を含んでもよい。当該触媒は、例えば、酸化マグネシウム、酸化マンガン、酸化チタン、酸化パラジウム、酸化銀、のような金属酸化物でもよい。脱臭剤６の粒径は、特に限定されないが、例えば、２ｍｍ〜５ｍｍ程度でもよい。
【００１９】
ケーシング７は、脱臭剤６を収納する複数の区画７ａを有する。ケーシング７は、Ｘ軸方向及びＺ軸方向に行列状に並んだ複数の区画７ａを有する。すなわち、複数の区画７ａがＸ軸方向に並ぶとともに、複数の区画７ａがＺ軸方向に並ぶ。各区画７ａには複数個の脱臭剤６が収納されている。一つの区画７ａ当たりの脱臭剤６の個数は、例えば、数十個〜数百個程度でもよい。各区画７ａの形状は、直方体である。
【００２０】
ケーシング７は、周壁部７ｂ及び隔壁部７ｃを有する。周壁部７ｂ及び隔壁部７ｃは、複数の区画７ａを形成する壁である。周壁部７ｂは、Ｙ軸方向から見たときに長方形となる環状の壁である。周壁部７ｂは、ケーシング７の外周を形成する壁である。隔壁部７ｃは、周壁部７ｂの内側の空間を仕切る壁である。隔壁部７ｃは、Ｙ軸方向から見たときにＸ軸方向及びＺ軸方向に延びるように格子状に形成されている。
【００２１】
区画７ａの、Ｙ軸に垂直な二つの面には壁がない。区画７ａの、Ｙ軸に垂直な二つの面は、開口している。区画７ａの、Ｙ軸に垂直な両面の開口は、それぞれ、網８によって覆われている。網８が区画７ａの開口を覆うことで、脱臭剤６が区画７ａの外へ出ることが防止される。空気は、網８を通って、区画７ａ内をＹ軸方向へ通過できる。図２では、区画７ａの内部を見やすくするために、網８の一部を切り欠いている。
【００２２】
各区画７ａは、Ｘ軸に垂直な対向する一対の内壁と、Ｚ軸に垂直な対向する一対の内壁とを有する。各区画７ａは、計四面の内壁を有する。ケーシング７の角部にある区画７ａは、周壁部７ｂにより形成される二面の内壁と、隔壁部７ｃにより形成される二面の内壁とを有する。ケーシング７の角部以外の外周部にある区画７ａは、周壁部７ｂにより形成される一面の内壁と、隔壁部７ｃにより形成される三面の内壁とを有する。ケーシング７のそれ以外の区画７ａでは、四面の内壁がすべて隔壁部７ｃにより形成される。
【００２３】
図３は、実施の形態１の脱臭装置１が備える脱臭フィルタ３及び紫外線光源５の模式的な斜視図である。図３では、理解を容易にするため、以下のように抽象化する。ケーシング７が備える区画７ａの数を４個とする。すなわち、ケーシング７は、２行×２列＝４個の区画７ａを備えるものとする。各区画７ａに収納されている脱臭剤６の個数を実際よりも少なくする。脱臭剤６の形状を球形とする。網８の図示を省略する。
【００２４】
脱臭剤６が吸着できる臭い成分の量には限界がある。脱臭剤６の臭い成分の吸着量が多くなると、脱臭フィルタ３の脱臭性能が低下する。これに対し、本実施の形態であれば、紫外線光源５から発せられた紫外線が脱臭剤６に照射されることで、脱臭剤６に吸着された臭い成分の分解を促すことができる。脱臭剤６に吸着された臭い成分が紫外線によって分解されることで、脱臭剤６の臭い成分の吸着量を減少させることができ、脱臭フィルタ３の脱臭性能を回復させることが可能となる。
【００２５】
脱臭フィルタ３を通過する空気は、図３中で上から下に向かって流れる。本実施の形態では、紫外線光源５は、脱臭フィルタ３を通過する気流の上流側から紫外線を照射する。これにより、以下の効果が得られる。脱臭剤６の表面のうち、気流の上流側に面する領域は、気流の下流側に面する領域に比べて、臭い成分の吸着量が多いと考えられる。脱臭剤６の表面のうち、気流の上流側に面する領域に紫外線が当たりやすくすることで、脱臭剤６に吸着された臭い成分をより効率良く分解することが可能となる。
【００２６】
本実施の形態におけるケーシング７は、紫外線を拡散透過させる拡散透過壁を備える。本実施の形態では、ケーシング７の隔壁部７ｃの少なくとも一部が拡散透過壁である。ケーシング７の隔壁部７ｃの全体が拡散透過壁でもよい。本実施の形態では、ケーシング７の周壁部７ｂの少なくとも一部が拡散透過壁である。ケーシング７の周壁部７ｂの全体が拡散透過壁でもよい。
【００２７】
図４は、実施の形態１の脱臭フィルタ３のケーシング７が備える拡散透過壁の内部構造を示す模式的な断面図である。図４に示すように、ケーシング７が備える拡散透過壁は、光拡散剤となる粒子７ｅが内部に分散している樹脂材料７ｆで構成されている。粒子７ｅ及び樹脂材料７ｆは、紫外線光源５から発せられる紫外線のうちの少なくとも一部の波長を透過させる紫外線透過性を有する。粒子７ｅと樹脂材料７ｆとは、屈折率が異なる。粒子７ｅと樹脂材料７ｆとの界面で紫外線が反射または屈折することで、紫外線が拡散される。
【００２８】
樹脂材料７ｆは、例えば、アクリル系樹脂、スチレン系樹脂などでもよい。粒子７ｅの材料は、例えば、アクリル系樹脂、スチレン系樹脂などでもよい。粒子７ｅとしては、例えば、積水化成品工業株式会社製の商品名「テクポリマー」を用いてもよい。粒子７ｅは、樹脂製のものに限らず、ガラス製でもよい。粒子７ｅの形状は、図示のような球形に限らず、球形以外の形状でもよい。粒子７ｅの平均粒径は、例えば、１μｍ〜２００μｍの範囲にあってもよい。
【００２９】
図５は、実施の形態１の脱臭装置１が備える脱臭フィルタ３及び紫外線光源５の模式的な断面図である。図５は、Ｚ軸方向から見た図である。図５では、理解を容易にするため、図３と同様に抽象化する。
【００３０】
紫外線光源５から発せられた紫外線の一部は、脱臭剤６に直接照射される。図５中の光線Ｒ１は、紫外線光源５から脱臭剤６に直接照射される紫外線の一例である。
【００３１】
ケーシング７は、区画７ａの内壁面に対して垂直な第一表面７ｄを有する。第一表面７ｄは、Ｙ軸に対して垂直である。第一表面７ｄの一部は、隔壁部７ｃの端面に相当する。第一表面７ｄの他の一部は、周壁部７ｂの端面に相当する。本実施の形態では、隔壁部７ｃの端面である第一表面７ｄの法線上に紫外線光源５がある。紫外線光源５から発せられた紫外線の一部は、第一表面７ｄから隔壁部７ｃの内部に入射する。図５中の光線Ｒ２は、紫外線光源５から第一表面７ｄに照射されて隔壁部７ｃの内部に入射する紫外線の一例である。本実施の形態であれば、隔壁部７ｃの端面である第一表面７ｄの法線上に紫外線光源５があることで、紫外線光源５から発せられた紫外線を第一表面７ｄから隔壁部７ｃの内部により効率良く入射させることが可能となる。図示の構成に限らず、周壁部７ｂの端面である第一表面７ｄの法線上にも紫外線光源５が配置されてもよい。
【００３２】
隔壁部７ｃは、拡散透過壁である。第一表面７ｄから隔壁部７ｃの内部に入射した紫外線は、隔壁部７ｃの内部で拡散されることで、隔壁部７ｃの内部に行き渡る。隔壁部７ｃの内部に行き渡った紫外線は、隔壁部７ｃの表面から区画７ａ内へ出射し、脱臭剤６に照射される。図５中の光線Ｒ３は、隔壁部７ｃの表面から区画７ａ内へ出射して脱臭剤６に照射される紫外線の例である。
【００３３】
本実施の形態であれば、隔壁部７ｃの表面から紫外線が区画７ａ内へ出射して脱臭剤６に照射されることで、以下の効果が得られる。紫外線光源５からの紫外線が直接当たらない位置にある脱臭剤６に対しても紫外線を照射し得る。紫外線光源５からの紫外線が直接当たる位置にある脱臭剤６も、当該紫外線に当たらない部分を有する。当該部分に対しても紫外線を照射し得る。これらのことから、区画７ａ内の数多い脱臭剤６に対して効率良く紫外線を照射できる。
【００３４】
紫外線光源５から発せられた紫外線の一部は、区画７ａの内壁面から隔壁部７ｃの内部に入射してもよい。区画７ａの内壁面から隔壁部７ｃの内部に紫外線が入射する場合であっても、上記効果に類似した効果が得られる。
【００３５】
紫外線光源５から発せられた紫外線の一部は、周壁部７ｂの内壁面から周壁部７ｂの内部に入射する。図５中の光線Ｒ４は、紫外線光源５から周壁部７ｂの内壁面に照射されて周壁部７ｂの内部に入射する紫外線の一例である。周壁部７ｂは、拡散透過壁である。周壁部７ｂの内壁面から周壁部７ｂの内部に入射した紫外線は、周壁部７ｂの内部で拡散されることで、周壁部７ｂの内部に行き渡る。周壁部７ｂの内部に行き渡った紫外線は、周壁部７ｂの内壁面から区画７ａ内へ出射し、脱臭剤６に照射される。図５中の光線Ｒ５は、周壁部７ｂの内壁面から区画７ａ内へ出射して脱臭剤６に照射される紫外線の例である。
【００３６】
本実施の形態であれば、周壁部７ｂの内壁面から紫外線が区画７ａ内へ出射して脱臭剤６に照射されることで、以下の効果が得られる。紫外線光源５からの紫外線が直接当たらない位置にある脱臭剤６に対しても紫外線を照射し得る。紫外線光源５からの紫外線が直接当たる位置にある脱臭剤６も、当該紫外線に当たらない部分を有する。当該部分に対しても紫外線を照射し得る。これらのことから、区画７ａ内の数多い脱臭剤６に対して効率良く紫外線を照射できる。
【００３７】
本実施の形態のケーシング７は、区画７ａを形成する壁の少なくとも一部の表面に設けられた紫外線反射層７ｇ，７ｈを備える。紫外線反射層７ｇ，７ｈは、周壁部７ｂの一部の表面に設けられている。紫外線反射層７ｇ，７ｈは、例えば、アルミニウムなどの金属膜でもよい。当該金属膜は、例えば、蒸着により形成されたものでもよい。紫外線反射層７ｇ，７ｈの表面を覆う保護層（図示省略）がさらに設けられていてもよい。
【００３８】
紫外線反射層７ｇは、拡散透過壁である周壁部７ｂの外壁面に設けられている。本実施の形態であれば、紫外線反射層７ｇを設けたことで、以下の効果が得られる。周壁部７ｂの内部に行き渡った紫外線が周壁部７ｂの外壁面から出射することを防止できる。周壁部７ｂの外壁面から紫外線が出射したと仮定すると、その紫外線は、脱臭剤６に照射されない。これに対し、周壁部７ｂの外壁面に到達した紫外線を紫外線反射層７ｇが反射させることで、周壁部７ｂの内壁面から区画７ａ内へ出射する紫外線の量を増やすことができる。よって、脱臭剤６に照射される紫外線の量を増やすことができる。
【００３９】
紫外線反射層７ｈは、周壁部７ｂの内壁面に設けられている。紫外線光源５から発せられた紫外線の一部は、紫外線反射層７ｈで反射して脱臭剤６に照射される。図５中の光線Ｒ６は、紫外線反射層７ｈで反射して脱臭剤６に照射される紫外線の一例である。本実施の形態であれば、紫外線反射層７ｈを設けたことで、以下の効果が得られる。紫外線光源５からの紫外線が直接当たらない位置にある脱臭剤６に対しても紫外線を照射し得る。紫外線光源５からの紫外線が直接当たる位置にある脱臭剤６も、当該紫外線に当たらない部分を有する。当該部分に対しても紫外線を照射し得る。これらのことから、区画７ａ内の数多い脱臭剤６に対して効率良く紫外線を照射できる。
【００４０】
内壁面に紫外線反射層７ｈを有する周壁部７ｂは、拡散透過壁でなくてよい。内壁面に紫外線反射層７ｈを有する周壁部７ｂは、紫外線を実質的に透過させない材料で構成されていてもよい。隔壁部７ｃの表面の少なくとも一部に紫外線反射層を設けてもよい。表面に紫外線反射層を有する隔壁部７ｃは、拡散透過壁でなくてよい。表面に紫外線反射層を有する隔壁部７ｃは、紫外線を実質的に透過させない材料で構成されていてもよい。
【００４１】
本実施の形態であれば、以下の効果が得られる。ケーシング７の各区画７ａにある数多い脱臭剤６に対して効率良く紫外線を照射できる。このため、紫外線光源５から発せられた紫外線を効率良く利用して、脱臭フィルタ３の脱臭性能を回復させることが可能となる。脱臭フィルタ３が備えるケーシング７を利用して上記効果を得ることができ、紫外線を導光するための専用の部品を追加する必要がないので、コストの増加を抑制できる。紫外線光源５の数を多くしたり、紫外線光源５を移動させる移動装置を設けたりしなくても、数多い脱臭剤６に対して紫外線を到達させることが可能となる。これらのことから、簡単な構成で、脱臭フィルタ３の脱臭性能を回復させることが可能となる。
【００４２】
本実施の形態では、脱臭フィルタ３のケーシング７が拡散透過壁と紫外線反射層との両方を備える例について説明した。このような例に限らず、脱臭フィルタ３のケーシング７が拡散透過壁と紫外線反射層とのいずれか一方のみを備えるものでもよい。その場合であっても、上記効果に類似した効果が得られる。
また、紫外線光源５は、吸込口２ａから脱臭フィルタ３へと至る空気の流れの中に位置しているので、紫外線光源５である紫外線ＬＥＤを冷却することができる。ここで言う紫外線ＬＥＤは、紫外線ＬＥＤを発光させる部品をも含む。
更に、紫外線光源５は、吸込口２ａから脱臭フィルタ３へと至る空気の流れの中に位置しているので、取り込んだ室内空気に紫外線を照射することができ、取り込んだ空気の除菌も行うことができる。
【００４３】
実施の形態２．
次に、図６を参照して、実施の形態２について説明するが、上述した実施の形態との相違点を中心に説明し、同一部分または相当部分については説明を簡略化または省略する。図６は、実施の形態２における脱臭フィルタ３及び紫外線光源５の模式的な図である。図６は、Ｚ軸方向から見た図である。図６では、理解を容易にするため、図３と同様に抽象化する。
【００４４】
図６に示すように、本実施の形態２の脱臭フィルタ３が備えるケーシング７の周壁部７ｂ及び隔壁部７ｃの少なくとも一部は、拡散透過壁である。拡散透過壁である周壁部７ｂ及び隔壁部７ｃは、紫外線光源５から発せられる紫外線のうちの少なくとも一部の波長を透過させる紫外線透過性を有する材料で形成されている。当該材料は、例えば、アクリル系樹脂、スチレン系樹脂などでもよい。
【００４５】
ケーシング７は、区画７ａの内壁面７ｉを有する。内壁面７ｉの一部は、周壁部７ｂの内壁面に相当する。内壁面７ｉの他の一部は、隔壁部７ｃの表面に相当する。内壁面７ｉには、紫外線を拡散させる多数の微細な凹凸が形成されている。内壁面７ｉの凹凸は、例えば、シボ加工により形成されたものでもよいし、ショットブラストにより形成されたものでもよい。
【００４６】
本実施の形態では、ケーシング７の第一表面７ｄの法線１０と重ならない位置に紫外線光源５が配置されている。これにより、紫外線光源５から発せられた紫外線が脱臭剤６に直接照射される割合を多くできる。図６中の光線Ｒ７は、紫外線光源５から脱臭剤６に直接照射される紫外線の例である。
【００４７】
紫外線光源５から発せられた紫外線の一部は、内壁面７ｉから隔壁部７ｃの内部に入射する。図６中の光線Ｒ８は、紫外線光源５から内壁面７ｉに照射されて隔壁部７ｃの内部に入射する紫外線の例である。紫外線が内壁面７ｉから隔壁部７ｃの内部に入射するときに、内壁面７ｉの凹凸によって紫外線が拡散される。また、隔壁部７ｃの内部から内壁面７ｉに到達した紫外線の一部が内壁面７ｉの凹凸によって乱反射されることで紫外線が拡散される。このようにして隔壁部７ｃの内部に紫外線が拡散することで隔壁部７ｃの内部に紫外線が行き渡る。隔壁部７ｃの内部に行き渡った紫外線が内壁面７ｉから区画７ａ内へ出射し、脱臭剤６の表面に照射される。紫外線が内壁面７ｉから区画７ａ内へ出射するときに、内壁面７ｉの凹凸によって紫外線が拡散される。図６中の光線Ｒ９は、隔壁部７ｃの内部から内壁面７ｉを通って区画７ａ内へ出射して脱臭剤６に照射される紫外線の例である。
【００４８】
本実施の形態であれば、隔壁部７ｃの内部の紫外線が内壁面７ｉを通って区画７ａ内へ出射して脱臭剤６に照射されることで、以下の効果が得られる。紫外線光源５からの紫外線が直接当たらない位置にある脱臭剤６に対しても紫外線を照射し得る。紫外線光源５からの紫外線が直接当たる位置にある脱臭剤６も、当該紫外線に当たらない部分を有する。当該部分に対しても紫外線を照射し得る。これらのことから、区画７ａ内の数多い脱臭剤６に対して効率良く紫外線を照射できる。
【００４９】
紫外線光源５から発せられた紫外線の一部は、内壁面７ｉから周壁部７ｂの内部に入射する。図６中の光線Ｒ１０は、紫外線光源５から内壁面７ｉに照射されて周壁部７ｂの内部に入射する紫外線の例である。紫外線が内壁面７ｉから周壁部７ｂの内部に入射するときに、内壁面７ｉの凹凸によって紫外線が拡散される。また、周壁部７ｂの内部から内壁面７ｉに到達した紫外線の一部が内壁面７ｉの凹凸によって乱反射されることで紫外線が拡散される。このようにして周壁部７ｂの内部に紫外線が拡散することで周壁部７ｂの内部に紫外線が行き渡る。周壁部７ｂの内部に行き渡った紫外線が内壁面７ｉから区画７ａ内へ出射し、脱臭剤６の表面に照射される。紫外線が内壁面７ｉから区画７ａ内へ出射するときに、内壁面７ｉの凹凸によって紫外線が拡散される。図６中の光線Ｒ１１は、周壁部７ｂの内部から内壁面７ｉを通って区画７ａ内へ出射して脱臭剤６に照射される紫外線の例である。
【００５０】
本実施の形態であれば、周壁部７ｂの内部の紫外線が内壁面７ｉを通って区画７ａ内へ出射して脱臭剤６に照射されることで、以下の効果が得られる。紫外線光源５からの紫外線が直接当たらない位置にある脱臭剤６に対しても紫外線を照射し得る。紫外線光源５からの紫外線が直接当たる位置にある脱臭剤６も、当該紫外線に当たらない部分を有する。当該部分に対しても紫外線を照射し得る。これらのことから、区画７ａ内の数多い脱臭剤６に対して効率良く紫外線を照射できる。
【００５１】
また、本実施の形態であれば、紫外線光源５から内壁面７ｉに照射された紫外線の一部は、内壁面７ｉの凹凸によって区画７ａ内へ乱反射されて脱臭剤６に照射される。
【００５２】
本実施の形態２におけるケーシング７の周壁部７ｂ及び隔壁部７ｃは、実施の形態１のような光拡散剤を含む材料で構成されていなくてもよい。本実施の形態２では、内壁面７ｉの凹凸によって紫外線が拡散されればよく、光拡散剤による屈折などによって紫外線が拡散されなくてもよい。
本実施の形態２における拡散透過壁のように、紫外線光源５からの光が拡散しやすい構成は、点発光で照射範囲が狭い紫外線ＬＥＤを用いた場合、特に有効である。この点は、実施の形態１においても同様である。
【００５３】
本実施の形態２のケーシング７は、拡散透過壁である周壁部７ｂの外壁面に設けられた紫外線反射層７ｇを備える。これにより、実施の形態１で説明した効果と類似の効果が得られる。
【００５４】
実施の形態３．
次に、図７及び図８を参照して、実施の形態３について説明するが、上述した実施の形態との相違点を中心に説明し、同一部分または相当部分については説明を簡略化または省略する。図７は、実施の形態３の脱臭装置９の模式的な断面側面図である。図８は、実施の形態３の脱臭装置９の模式的な正面図である。図８は、脱臭装置９の筐体２の前面の壁を透視した図に相当する。実施の形態３の脱臭装置９は、以下に説明する事項以外は、実施の形態１の脱臭装置１と同じである。図８では、以下のように抽象化する。脱臭フィルタ３のケーシング７が備える区画７ａの数を１６個とする。すなわち、ケーシング７は、４行×４列＝１６個の区画７ａを備えるものとする。各区画７ａに収納されている脱臭剤６の個数を実際よりも少なくする。脱臭剤６の形状を球形とする。網８の図示を省略する。
【００５５】
図７に示すように、本実施の形態３の脱臭装置９が備える紫外線光源５は、脱臭フィルタ３のケーシング７の周壁部７ｂの外側に配置されている。紫外線光源５は、ケーシング７の周壁部７ｂの外壁面に紫外線を照射する。図示の構成ではケーシング７の上に紫外線光源５が配置されているが、このような構成に限らず、ケーシング７の下に紫外線光源５を配置してもよいし、ケーシング７の横に紫外線光源５を配置してもよい。
【００５６】
周壁部７ｂの少なくとも一部は、紫外線透過性を有する。周壁部７ｂのうち、少なくとも、紫外線光源５から紫外線が照射される部分は、紫外線透過性を有する。紫外線透過性を有する部分の周壁部７ｂは、紫外線を拡散透過させてもよいし、紫外線を正透過させてもよい。
【００５７】
図８に示すように、Ｙ軸方向から見たときに、隔壁部７ｃの延長線上に紫外線光源５が位置する。隔壁部７ｃの少なくとも一部は、実施の形態１または２で説明したような拡散透過壁である。紫外線光源５から発せられた紫外線は、周壁部７ｂを透過して隔壁部７ｃの内部に入射する。隔壁部７ｃの内部に入射した紫外線は、隔壁部７ｃの内部に拡散して、隔壁部７ｃの内部に行き渡る。隔壁部７ｃの内部に行き渡った紫外線は、隔壁部７ｃの表面から各区画７ａ内へ出射し、脱臭剤６に照射される。隔壁部７ｃは、紫外線を正透過させる部分を有してもよい。紫外線を正透過させる部分が隔壁部７ｃの長手方向に沿って形成されていてもよい。隔壁部７ｃが紫外線を正透過させる部分を有することで、隔壁部７ｃの長手方向に沿って紫外線がより効率良く導光される。紫外線が隔壁部７ｃの長手方向に沿って導光されることで、紫外線光源５から遠い位置にある区画７ａにも紫外線をより効率良く照射できる。
【００５８】
本実施の形態３であれば、実施の形態１及び２で説明した効果に類似した効果に加えて、以下の効果が得られる。脱臭フィルタ３のケーシング７の周壁部７ｂの外側に紫外線光源５を配置したことで、脱臭装置９のＹ軸方向の寸法を小さくできる。すなわち、脱臭装置９を薄型化できる。脱臭フィルタ３を通過する空気の流れを妨げない位置に紫外線光源５を配置できる。すなわち、風路の圧力損失を低減できる。
【００５９】
以上、本発明の実施の形態について説明したが、本発明の脱臭装置及び脱臭フィルタは、実施の形態１及び２で説明したような脱臭装置に適用できるだけでなく、例えば、空気調和機に一体的に組み込まれた脱臭装置、電気掃除機の排気を脱臭する脱臭装置、などにも適用可能である。
【符号の説明】
【００６０】
１  脱臭装置、  ２  筐体、  ２ａ  吸込口、  ２ｂ  吹出口、  ２ｃ  吸込口、  ３  脱臭フィルタ、  ４  送風装置、  ５  紫外線光源、  ６  脱臭剤、  ７  ケーシング、  ７ａ  区画、  ７ｂ  周壁部、  ７ｃ  隔壁部、  ７ｄ  第一表面、  ７ｅ  粒子、  ７ｆ  樹脂材料、  ７ｇ，７ｈ  紫外線反射層、  ７ｉ  内壁面、  ８  網、  ９  脱臭装置、  １０  法線
【図１】
2018016115.tif 000003
【図２】
2018016115.tif 000004
【図３】
2018016115.tif 000005
【図４】
2018016115.tif 000006
【図５】
2018016115.tif 000007
【図６】
2018016115.tif 000008
【図７】
2018016115.tif 000009
【図８】
2018016115.tif 000010
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
脱臭フィルタと、
紫外線光源と、
を備え、
前記脱臭フィルタは、粒状の脱臭剤と、前記脱臭剤を収納する区画を形成する壁を有するケーシングと、を備え、
前記紫外線光源は、前記脱臭フィルタへ紫外線を照射し、
前記ケーシングは、前記壁の少なくとも一部を構成し、紫外線を拡散透過させる拡散透過壁を備える脱臭装置。
【請求項２】
前記壁は、環状の周壁部と、前記周壁部の内側の空間を仕切る隔壁部とを含み、
前記隔壁部の少なくとも一部は、前記拡散透過壁である請求項１に記載の脱臭装置。
【請求項３】
前記壁は、環状の周壁部と、前記周壁部の内側の空間を仕切る隔壁部とを含み、
前記周壁部の少なくとも一部の表面に紫外線反射層が設けられている請求項１または請求項２に記載の脱臭装置。
【請求項４】
前記ケーシングは、光拡散剤となる粒子が内部に分散している樹脂材料で構成された前記拡散透過壁を備える請求項１から請求項３のいずれか一項に記載の脱臭装置。
【請求項５】
前記紫外線光源は、前記脱臭フィルタを通過する気流の上流側から紫外線を照射する請求項１から請求項４のいずれか一項に記載の脱臭装置。
【請求項６】
前記ケーシングは、前記区画の内壁面に対して垂直な第一表面を有し、
前記第一表面の法線上に前記紫外線光源がある請求項５に記載の脱臭装置。
【請求項７】
前記ケーシングは、前記区画の内壁面に対して垂直な第一表面を有し、
前記第一表面の法線と重ならない位置に前記紫外線光源がある請求項５に記載の脱臭装置。
【請求項８】
前記壁は、環状の周壁部と、前記周壁部の内側の空間を仕切る隔壁部とを含み、
前記周壁部の少なくとも一部は、紫外線透過性を有し、
前記紫外線光源は、前記周壁部の外側から、紫外線透過性を有する部分の前記周壁部へ紫外線を照射する請求項１から請求項７のいずれか一項に記載の脱臭装置。
【請求項９】
前記壁は、環状の周壁部と、前記周壁部の内側の空間を仕切る隔壁部とを含み、
前記周壁部の少なくとも一部は、前記拡散透過壁であり、
前記ケーシングは、前記拡散透過壁である前記周壁部の外壁面に設けられた紫外線反射層を備える請求項１から請求項８のいずれか一項に記載の脱臭装置。
【請求項１０】
粒状の脱臭剤と、
前記脱臭剤を収納する区画を形成する壁を有するケーシングと、
を備え、
前記ケーシングは、前記壁の少なくとも一部を構成し、紫外線を拡散透過させる拡散透過壁を備える脱臭フィルタ。
【手続補正２】
【補正対象書類名】明細書
【補正対象項目名】０００７
【補正方法】変更
【補正の内容】
【０００７】
本発明に係る脱臭装置は、脱臭フィルタと、紫外線光源と、を備え、脱臭フィルタは、粒状の脱臭剤と、脱臭剤を収納する区画を形成する壁を有するケーシングと、を備え、紫外線光源は、脱臭フィルタへ紫外線を照射し、ケーシングは、壁の少なくとも一部を構成し、紫外線を拡散透過させる拡散透過壁を備えるものである。
また、本発明に係る脱臭フィルタは、粒状の脱臭剤と、脱臭剤を収納する区画を形成する壁を有するケーシングと、を備え、ケーシングは、壁の少なくとも一部を構成し、紫外線を拡散透過させる拡散透過壁を備えるものである。
【手続補正３】
【補正対象書類名】明細書
【補正対象項目名】０００８
【補正方法】変更
【補正の内容】
【０００８】
本発明によれば、脱臭フィルタのケーシングが紫外線を拡散透過させる拡散透過壁を備えることで、粒状の脱臭剤に対して紫外線を効率良く照射することが可能となる。
【国際調査報告】
2018016115.tif 000011
2018016115.tif 000012
2018016115.tif 000013
2018016115.tif 000014